(57)【要約】【課題】本考案は箸に関し、日常用、贈答品、記念品、ストラン等の営業用として最適であり、鉄刀木、黒檀、紫檀等の硬い木材、金、白金等の貴金属、象牙等の用材により形成される箸本体に、異質材によりなる人工ダイヤモンド、金、白金、貝類等よりなる装飾体を接着して装飾性と、高級感をもたせ、価格も安価になす。【解決手段】箸本体１,１と、箸本体とは異質材により形成され、箸本体の表面に装飾体３とを備えた箸において、接着剤２がゴム系溶剤形の粘弾性を有する接着剤であり、前記装飾体が、該装飾体の取付外形状に略合致して前記箸本体に設けた接着剤溜まり用の係止凹部５を内面に有する取付穴４内に前記接着剤により接着された。【選択図】図１
0003107236.tif 000002
【実用新案登録請求の範囲】
【請求項１】
箸本体と、該箸本体とは異質材により形成され、箸本体の表面に接着剤を介して接着される装飾体とを備えた箸において、前記接着剤がゴム系溶剤形の粘弾性を有する接着剤であり、前記装飾体が、該装飾体の取付外形状に略合致して前記箸本体に設けた接着剤溜まり用の係止凹部を内面に有する取付穴内に前記接着剤により接着されたことを特徴とした箸。
【請求項２】
前記箸本体が、鉄刀木、黒檀、紫檀、鉄木、桜、桑等の硬い木材、金、白金、銀等の貴金属、銅、真鍮、アルミニウム、チタン等の金属、象牙、水牛、アクリル樹脂、ポリエステル等の合成樹脂の何れかにより形成されることを特徴とする請求項１に記載の箸。
【請求項３】
前記装飾体が、ダイヤモンド、エメラルド、オニキス、オパール、ルビー、サファイア、アイオライト、アイドレーク、アウイン、アクアマリン、メノウ、トルマリン、アズライト、アパタイト、アベンチュリン、アマゾナイト、アメシスト、ガーネツト、アレキサンドライト、インカローズ、エピドート、オーソクレース、カイアナイト、カルサイト、キャシテライト、キャッツアイ、水晶、クォーツザイト、カルセドニー、クリソベリル、クンツァイト、ゴーシェナイト、コーネルピン、サンゴ、サフィリン、サンストーン、翡翠、シリマナイト、ジルコン、スキャポライト、スピネル、チタナイト、ガーネット、ソーダライト、ダイオプサイド、ダイオプテース、タイガーズアイ、ターフェアイト、タンザナイト、ダンブライト、テクタイト、トパーズ、トルコ石、ネフライト、パパラチア、バリサイト、ヒデナイト、フェナカイト、ブラジリアナイト、ヘソナイト、ベニナイト、ヘマタイト、ヘリオドール、ペリドット、ユークレース、ラピスラズリ、トルマリン等の宝石ないしは貴石、または任意効能、例えば目の疲れを採るとされるマラカイト、血液を浄化するとされるブラッドストーン、体に溜まった毒素を浄化し、排出されるとするシトリン等の何れかの鉱石、人工ダイヤモンド、金、白金、銀、アルミニウム、チタン等の金属成形品、貝類、真珠等により形成されることを特徴とする請求項１または２の何れかに記載の箸。
【請求項４】
前記接着剤溜まり用の係止凹部が、取付穴内の内壁面に対してファスナー機能または投錨機能等の係止機能を発揮するように設けられたことを特徴とする請求項１,２,３の何れかに記載の箸。
【考案の詳細な説明】
【技術分野】
【０００１】
本考案は箸に関し、例えば日常用としてはもとより贈答品や記念品、又はレストラン等の営業用として最適であり、鉄刀木、黒檀、紫檀、鉄木、桜等の硬い木材、金、白金、銀等の貴金属、象牙、水牛等の硬くて腐食しにくく、比較的高価な用材により形成される箸本体の特に柄の表面部分に、異質材により形成される例えば人工ダイヤモンド、金、白金、銀等の金属成形品、貝類等よりなる装飾体を接着することにより装飾性と、高級感をもたせ、しかも、量産可能で価格も安価にしようとするものである。
【背景技術】
【０００２】
従来、例えば高級な箸として、木材や竹材により形成される箸本体の表面に、塗りと、乾燥と、研ぎとを何度と繰り返して行う塗り箸があるが、製作には熟練した高度な技能と、多くの工程を要し、時間と労力とを要するものであった。
【０００３】
また、装飾性を発揮させるために模造宝石や金、銀の金属よりなる装飾体を、竹、木、合成樹脂の異質な素材により形成される箸本体の表面に接着剤を用いて接着させる箸もあった（例えば特許文献１参照）。
【特許文献１】実開平３−４５７７６号公報
【考案の開示】
【考案が解決しようとする課題】
【０００４】
しかしながら、特許文献１に記載の上記従来の箸は、装飾性を発揮させるために、竹、木、合成樹脂の異質な用材により形成される箸本体の表面に、模造宝石や金、銀の金属よりなる装飾体を接着剤を用いて単に接着しているだけなので、箸を使用後に頻繁に洗浄したり、箸を箸入れの中に入れた場合に衝撃が加わることにより装飾体が脱落してしまう欠点があった。
【０００５】
因みに、木材または竹と、ガラスまたは金属との異質な用材とを接着するのには、例えばエポキシ樹脂を用いて行うことが、知られているが、エポキシ樹脂を用いて前記異質な用材相互を接着した場合に、エポキシ樹脂が乾燥して結晶化して固化した場合に、衝撃が加わることにより接着個所から被接着体としての装飾体が剥離してしまうことが、実験によりわかった。
【０００６】
また、箸を成形するための用材として、木材には、鉄刀木、黒檀、紫檀、鉄木、桜等の硬く、接着剤が浸透しにくく、接着力は弱くなり、しかも、稀少性から高価なものもある。
【０００７】
また、象牙、水牛では、同様に硬くて接着剤が浸透しにくく、接着力は弱く、しかも、稀少性から高価である。
【０００８】
また、金属、合成樹脂では、非常に硬く、接着剤が浸透しにくく、接着力は弱くなる傾向にある。
【０００９】
本考案は上記従来の欠点を解決し、硬くて腐食しにくく、比較的高価な用材により形成される箸本体の表面に、異質材により形成される例えば人工ダイヤモンド、金、白金、銀等の金属成形品、貝類等よりなる装飾体を構造堅牢に容易かつ確実に接着し、使用後に洗浄したり、衝撃が加わる場合に、装飾体が脱落することを防止し、以て、装飾性と、高級感をもたせ、しかも、量産可能であり、価格も安価な箸を提供しようとすることを目的とする。
【課題を解決するための手段】
【００１０】
本考案は上記課題に鑑みなされたものであり、請求項１に記載の考案は、箸本体と、該箸本体とは異質材により形成され、箸本体の表面に接着剤を介して接着される装飾体とを備えた箸において、前記接着剤がゴム系溶剤形の粘弾性を有する接着剤であり、前記装飾体が、該装飾体の取付外形状に略合致して前記箸本体に設けた接着剤溜まり用の係止凹部を内面に有する取付穴内に前記接着剤により接着されたことを特徴とする。
【００１１】
また、本考案の請求項２の考案は、請求項１において、前記箸本体が、鉄刀木、黒檀、紫檀、鉄木、桜、桑等の硬い木材、金、白金、銀等の貴金属、銅、真鍮、アルミニウム、チタン等の金属、象牙、水牛、アクリル樹脂、ポリエステル等の合成樹脂の何れかにより形成されることを特徴とするという手段を採用した。
【００１２】
また、本考案の請求項３に記載の考案は、請求項１,２において、前記装飾体が、ダイヤモンド、エメラルド、オニキス、オパール、ルビー、サファイア、アイオライト、アイドレーク、アウイン、アクアマリン、メノウ、トルマリン、アズライト、アパタイト、アベンチュリン、アマゾナイト、アメシスト、ガーネツト、アレキサンドライト、インカローズ、エピドート、オーソクレース、カイアナイト、カルサイト、キャシテライト、キャッツアイ、水晶、クォーツザイト、カルセドニー、クリソベリル、クンツァイト、ゴーシェナイト、コーネルピン、サンゴ、サフィリン、サンストーン、翡翠、シリマナイト、ジルコン、スキャポライト、スピネル、チタナイト、ガーネット、ソーダライト、ダイオプサイド、ダイオプテース、タイガーズアイ、ターフェアイト、タンザナイト、ダンブライト、テクタイト、トパーズ、トルコ石、ネフライト、パパラチア、バリサイト、ヒデナイト、フェナカイト、ブラジリアナイト、ヘソナイト、ベニナイト、ヘマタイト、ヘリオドール、ペリドット、ユークレース、ラピスラズリ、トルマリン等の宝石ないしは貴石、または任意効能、例えば目の疲れを採るとされるマラカイト、血液を浄化するとされるブラッドストーン、体に溜まった毒素を浄化し、排出されるとするシトリン等の鉱石、人工ダイヤモンド、金、白金、銀、アルミニウム、チタン等の金属成形品、貝類、真珠等の何れかにより形成されることを特徴とするという手段を採用した。
【００１３】
また、本考案の請求項４に記載の考案は、請求項１,２,３において、前記接着剤溜まり用の係止凹部が、取付穴内の内壁面に対してファスナー機能または投錨機能等の係止機能を発揮するように設けられたことを特徴とする。
【考案の効果】
【００１４】
本考案は、硬くて腐食しにくい用材により形成される箸本体の表面に、異質材により形成される例えば人工ダイヤモンド、金、白金、銀等の金属成形品、貝類等よりなる装飾体を構造堅牢に容易かつ確実に接着し、使用後に洗浄したり、衝撃が加わる場合に、装飾体が脱落することを防止し、以て、装飾性と、高級感をもたせ、しかも、量産可能であり、価格も安価になる。
【考案を実施するための最良の形態】
【００１５】
以下図面に従い、本考案を実施するための最良の形態につき詳細を説明する。
【００１６】
図１は本考案の箸の実施形態１を示す拡大断面図、図２は同じく箸の全景を示す正面図、図３は同じく箸本体に形成する取付穴を示す拡大断面図、図４は同じく箸本体の変形例を示す拡大断面図、図５は同じく箸本体に形成する取付穴を示す拡大断面図である。
【００１７】
図示する本実施形態１では、箸本体１,１と、該箸本体１,１とは異質材により形成され、箸本体１の表面に接着剤２を介して接着される装飾体３とを備えた箸である点は例えば、特許文献１に記載の装飾体を取付けた箸と同様である。
【００１８】
しかしながら、本実施形態１では、前記装飾体３が、該装飾体３の取付外形状に略合致して前記箸本体１,１に設けた接着剤溜まり用の係止凹部５を内面に有する取付穴４内にゴム系溶剤形の粘弾性を有する前記接着剤２により接着されたことを特徴とする。
【００１９】
そして、前記箸本体１,１は、本実施形態１では、例えば、鉄刀木、黒檀、紫檀、鉄木、桜、桑等の腐食しにくく硬い木材により形成されたり、または、金、白金、銀等の貴金属により形成されたり、また、銅、真鍮、アルミニウム、チタン等の金属により形成されたり、また、象牙、水牛により形成されたり、さらには、アクリル樹脂、ポリエステル等の合成樹脂により形成される。上記貴金属、金属、象牙、水牛、合成樹脂は、何れも硬くて接着剤２が浸透しにくい用材である。
【００２０】
また、本実施形態１で用いられるゴム系溶剤形の前記接着剤２としては、合成ゴム、例えばクロロプレンゴム、ニトリルゴム、ブタジェンゴム、エチレンプロピレンゴム、シリコーンゴム、ポリウレタンゴム等の高分子エストラマーを主成分とし、溶媒である有機溶剤が揮発することにより硬化する形式の粘弾性を有するものが最適に使用される。
【００２１】
そして、係止凹部５を取付穴４内に形成したのは、装飾体３の取付部分を取付穴４内に取付けるために、取付穴４内に接着剤２を充填することにより前記接着剤溜まり用の係止凹部５内に充填された接着剤２がファスナー機能または投錨機能等の係止機能を発揮することにより前記装飾体３を粘弾性により構造堅牢に迅速かつ確実に取付穴４内に取付けるようにするものである。
【００２２】
このように、本実施形態１で用いられる接着剤２として、前述のように、ゴム系溶剤形の粘弾性を有する接着剤を用いるようにしたのは、硬くて浸透しにくい用材により形成された箸本体１,１に、この箸本体１,１とは異質の用材にて形成された装飾体３を接着する場合に、接着剤２が粘弾性を維持した状態で箸本体１,１に装飾体３を強固に接着することにより箸本体１,１を使用後に洗浄したり、箸を箸入れの中に入れた場合のように衝撃が加わっても装飾体３が箸本体１,１から脱落するのを防止して構造堅牢に取付けるためである。
【００２３】
前記装飾体３は、例えば、前記装飾体が、ダイヤモンド、エメラルド、オニキス、オパール、ルビー、サファイア、アイオライト、アイドレーク、アウイン、アクアマリン、メノウ、トルマリン、アズライト、アパタイト、アベンチュリン、アマゾナイト、アメシスト、ガーネツト、アレキサンドライト、インカローズ、エピドート、オーソクレース、カイアナイト、カルサイト、キャシテライト、キャッツアイ、水晶、クォーツザイト、カルセドニー、クリソベリル、クンツァイト、ゴーシェナイト、コーネルピン、サンゴ、サフィリン、サンストーン、翡翠、シリマナイト、ジルコン、スキャポライト、スピネル、チタナイト、ソーダライト、ダイオプサイド、ダイオプテース、タイガーズアイ、ターフェアイト、タンザナイト、ダンブライト、ガーネット、テクタイト、トパーズ、トルコ石、ネフライト、パパラチア、バリサイト、ヒデナイト、フェナカイト、ブラジリアナイト、ヘソナイト、ベニナイト、ヘマタイト、ヘリオドール、ペリドット、ユークレース、ラピスラズリ、トルマリン等の宝石ないしは貴石、または任意効能、例えば目の疲れを採るとされるマラカイト、血液を浄化するとされるブラッドストーン、体に溜まった毒素を浄化し、排出されるとするシトリン等の鉱石、人工ダイヤモンド、金、白金、銀、アルミニウム、チタン等の金属成形品、貝類、真珠等、ガラス、ビーズ等の人工または天然の用材が用いられる。また、これらの装飾体３は、何れもその形状、大きさは制限されるものではなく、適宜形状でよい。
【００２４】
そして、前記箸本体１,１の表面、例えば柄１Ａの部分に前記装飾体３を取付るのには、装飾体３が例えば人工ダイヤモンドである場合には、装飾体３の取付部の外形状としての底面形状に略合致した取付穴４を形成する（図１参照）。この取付穴４は、例えば、レーザを照射したり、彫刻機の彫刻用刃物を用いて形成されるか、または、刃物等の工具を用いて手動により２つの内壁面４ａ,４ａが斜行された断面略Ｖ字状（円錐形）に形成される（図１，図３参照）。
【００２５】
また、装飾体３が例えば金、白金、銀、アルミニウム、チタン等の金属成形品であるか、または、貝類等のように扁平である場合には、装飾体３の取付部の外形状に略合致する底面部４ｂに対して左右２つの内壁面４ａ,４ａが対向された断面凹状の扁平な取付穴４を形成する（図４、図５参照）。この取付穴４は、同様にレーザを照射したり、彫刻機の彫刻用刃物を用いて形成されるか、または、刃物等の工具を用いて手動により形成される。
【００２６】
また、前記接着剤溜まり用の前記係止凹部５が、取付穴内４の内壁面４ａに対して例えば、図１、図３では係止凹部５が略９０度に形成され、また、図４、図５では係止凹部５が左右の内壁面４ａ,４ａと底面部４ｂとが交叉する隅角部個所に略４５度に形成されることによりこれらの係止凹部５内に充填される接着剤２がファスナー機能または投錨機能等の係止機能を確実に発揮するようにして接着剤２と箸本体１,１との境界面における剥離を確実に防止するようにしている。
【００２７】
また、図４において、５′は扁平な前記装飾体３の側面に形成された係止凹部であり、この係止凹部５′は接着剤２が内部に充填されることによりファスナー機能または投錨機能等の係止機能を発揮して箸本体１,１に対する装飾体３の脱落を防止するためのものである。
【００２８】
本実施形態１は以上の構成からなり、箸本体１,１の表面、例えば柄１Ａに、例えば、ダイヤモンド、エメラルド、オニキス、オパール、ルビー、サファイア等の宝石や貴石、または、人工ダイヤモンドを装飾体３として接着する場合には、先ず箸本体１,１の柄１Ａに、ダイヤモンド、エメラルド、オニキス、オパール、ルビー、サファイア等の宝石や貴石の加工物、または、人工ダイヤモンドの取付部の外形状としての底面形状に略合致した図３に示すように２つの内壁面４ａ,４ａが斜行された断面略Ｖ字状の取付穴４を形成するとともにこの取付穴４に係止凹部５を形成する。これには、レーザを照射したり、彫刻機の彫刻用刃物を用いて形成したり、または、刃物等の工具を用いて手動により形成される。
【００２９】
また、装飾体３が例えば金、白金、銀、アルミニウム、チタン等の金属成形品であるか、または、貝類等のように扁平である場合には、同様にレーザを照射したり、彫刻機の彫刻用刃物を用いて形成したり、または、刃物等の工具を用いて手動により装飾体３の取付部の外形状に略合致するように底面部４ｂに対して左右２つの内壁面４ａ,４ａが対向された断面凹状の取付穴４を形成するとともに左右の内壁面４ａ,４ａと底面部４ｂとが交叉する隅角部に略４５度に係止凹部５をそれぞれ形成する（図５参照）。
【００３０】
この際、取付穴４の平面形状および深さは、取け付るべき装飾体３の取付部の外形状および大きさに応じて決定される。
【００３１】
次いで、ゴム系溶剤形の粘弾性を有する接着剤２を前述のように箸本体１,１の柄１Ａに設けた取付穴４と係止凹部５内に充填する。この際、接着剤２を取付穴４および係止凹部５内に充填するのには、例えば注射器を用いて行えば過不足なく適量を充填することができるため、取付穴４からの接着剤２の溢れ出しや箸本体１,１を汚すことがなく、また、粘弾性を有する接着剤２の糸引きが防止され、さらには接着剤２の充填操作が迅速かつ確実に行えるため、便利になる。
【００３２】
その後、装飾体３が例えば、ダイアモンドのような宝石ないしは貴石の加工物であるとか、人工ダイヤモンドである場合には、箸本体１,１の柄１Ａに設けた断面略Ｖ字状の取付穴４内に充填された接着剤２に宝石ないしは貴石の加工物、または人工ダイヤモンドを圧着することにより取付ける（図１参照）。
【００３３】
同様に、装飾体３が例えば金、白金、銀、アルミニウム、チタン等の金属成形品であるか、または、貝類等のように扁平である場合には、箸本体１,１の柄１Ａに設けた断面凹状の取付穴４内に充填された接着剤２を介して金、白金、銀、アルミニウム、チタン等の金属成形品であるか、または、貝類等のように扁平な装飾体３を取付穴４内に充填された接着剤２に圧着する等して取付ける（図４参照）。
【００３４】
このようにして、本実施形態１の箸は、例えば鉄刀木、黒檀、紫檀、鉄木、桜、桑等の硬くて腐食しにくく高価な木材、また金、白金、銀等の貴金属、また、銅、真鍮、アルミニウム、チタン等の金属、また、象牙、水牛、さらには、アクリル樹脂、ポリエステル等の合成樹脂により形成される硬くて接着剤２が浸透し難い箸本体１,１に、該箸本体1,１とは異質の用材、例えば宝石、貴石、任意な効能を発揮する鉱石、人工ダイヤモンド、金、白金、銀、アルミニウム、チタン等の金属成形品、貝類、真珠等にて形成された装飾体３を粘弾性を有する接着剤２を介して接着することができる。
【００３５】
この時、本実施形態１では、接着剤２が、合成ゴム、例えばクロロプレンゴム、ニトリルゴム、ブタジェンゴム、エチレンプロピレンゴム、シリコーンゴム、ポリウレタンゴム等の高分子エストラマーを主成分とし、溶媒である有機溶剤が揮発することにより硬化する形式の例えばゴム系溶剤形の粘弾性を有する接着剤が使用されるので、硬くて浸透しにくい用材により形成された箸本体１,１に、この箸本体１,１とは異質の用材にて形成された装飾体３を接着した場合に、接着剤２が粘弾性を維持した状態で箸本体１,１に装飾体３を強固に接着するため、箸本体１,１を使用後に洗浄したり、箸を箸入れの中に入れた場合のように衝撃が加わっても装飾体３が箸本体１,１から剥離したり、脱落するのを確実に防止して構造堅牢に取付けることができる。
【００３６】
しかも、装飾体３が例えば宝石や貴石の加工物であるとか、人工ダイヤモンドである場合には、図１に示すように、宝石や貴石の加工物であるとか、人工ダイヤモンドの取付部の外形状としての底面形状に略合致する斜行された２つの支持面としての内壁面４ａ,４ａを有する断面略Ｖ字状の取付穴４の内壁面４ａに略９０度に接着剤溜まりとしての係止凹部５が形成されているので、取付穴４および係止凹部５内に充填された接着剤２がファスナー機能または投錨機能等の係止機能を確実に発揮することにより箸本体１,１と接着剤２との境界面における剥離を確実に防止する。従って、箸本体１,１とは異質の用材にて形成され、しかも取付部が断面略Ｖ字状をなすことにより取付穴４から抜け易い装飾体３としての宝石や貴石の加工物であるとか、人工ダイヤモンドを箸本体１,１に高い強度にて取付けることができる。
【００３７】
また、図４に示すように、装飾体３が例えば金、白金、銀、アルミニウム、チタン等の金属成形品であるか、または、貝類等のようにその厚さが薄く扁平であり、取付穴４から剥離し易い場合には、装飾体３の取付部の外形状に略合致するように断面凹状の取付穴４の左右対向する内壁面４ａ,４ａと底面部４ｂとが交叉する隅角部個所に略４５度にて形成された接着剤溜まりとしての係止凹部５,５内に充填された接着剤２がファスナー機能または投錨機能等の係止機能を確実に発揮するようにして箸本体１,１と接着剤２との境界面における剥離を確実に防止する。
【００３８】
しかも、図４に示すように、扁平な前記装飾体３の側面には係止凹部５′が形成されているので、この係止凹部５′内に接着剤２が内部に充填されることによりファスナー機能または投錨機能等の係止機能を発揮することにより装飾体３の剥離を確実に防止する。
【００３９】
従って、硬くて接着剤２が浸透しにくい箸本体１,１とは異質の用材にて形成された宝石や貴石の加工物であるとか、人工ダイヤモンド等を装飾体３として箸本体１,１に高い強度にて堅牢に取付けることができる。
【００４０】
因みに、箸本体１,１が、それぞれ鉄刀木、黒檀、紫檀、鉄木、桜、桑で形成された場合に、人工ダイヤモンドを装飾体として取付けた場合を試料Ａ,Ｂ,Ｃ,Ｄ,Ｅ,Ｆとして装飾体３が所定時間を経過した時に剥離するか否かの剥離試験を行った結果、下記[表１]を得た。
【００４１】
【表１】
0003107236.tif 000003
【００４２】
上記[表１]の試験方法は、メンケン法によった。
【００４３】
すなわち、１サイクル目として、洗剤水溶液０．７５ｇ／Ｌを、直径２．２ｃｍの試験管に３０ｍｌを入れ、４０℃の振湯式恒温槽にセットして１０秒間で１７回往復させた。
【００４４】
そして、試験管内の温度が平行に達した時期に、前記試料Ａ,Ｂ,Ｃ,Ｄ,Ｅ,Ｆを入れ、１時間経過後に取り出し、軽く水洗いし、乾燥機で６０℃にて３０分乾燥後、接着状況を確認した。
【００４５】
次いで、２サイクル目も、１サイクル目と同じ処理を５時間の追加後、同様の操作で水洗いして乾燥後、接着状態を確認した。
【００４６】
さらに、３サイクル目も、同じ処理を１５時間の追加後、同様の操作で水洗いして乾燥後、接着状態を確認した。
【００４７】
なお、装飾体３の剥離が認められた段階で、終了とし、剥離が認められない時でも３サイクルで終了とした。
【００４８】
使用した洗剤としては、ライオン株式会社製の市販の台所用合成洗剤を使用した。また、濃度は、包装容器に表示の使用量を目安とした。
【００４９】
上記[表１]から、試料Ａ,Ｂ,Ｃ,Ｄ,Ｅ,Ｆの何れも１５時間の追加時間経過後にも装飾体３としての人工ダイヤモンドは箸本体１,１から剥離することなく、接着剤２により接着され、取付強度が高いことがわかった。
【００５０】
このように、本実施形態１の箸は、例えば鉄刀木、黒檀、紫檀、鉄木、桜、桑等の硬くて腐食しにくく高価な木材、また金、白金、銀等の貴金属や金属、また、象牙、水牛等により形成される硬くて接着剤２が浸透し難い箸本体１,１に、該箸本体1,１とは異質の用材、例えば宝石や貴石の加工物であるとか、人工ダイヤモンド、金、白金、銀等の金属成形品、貝類等にて形成された装飾体３を接着剤２を介して接着したので、箸本体１,１が用材として高級品として取り扱われ、また、装飾体３が装飾性を発揮するとともに煌めきを生じて目に付き易く、ゴージャスで高級感にあふれる。従って、日常用としてはもとより贈答品や記念品、又はレストラン等の営業用として最適である。
【産業上の利用可能性】
【００５１】
本考案は硬くて腐食しにくい用材により形成される箸本体の表面に、異質材により形成される例えば宝石や貴石の加工物であるとか、人工ダイヤモンド、金、白金、銀等の金属成形品、貝類等よりなる装飾体を構造堅牢に容易かつ確実に接着し、使用後に洗浄したり、衝撃が加わる場合に、装飾体が脱落することを防止し、以て、装飾性と、高級感をもたせ、しかも、量産可能であり、価格も安価になる分野・用途に適する。
【図面の簡単な説明】
【００５２】
【図１】図１は本考案の箸の実施形態１を示す拡大断面図である。
【図２】図２は同じく箸の全景を示す正面図である。
【図３】図３は同じく箸本体に形成する取付穴を示す拡大断面図である。
【図４】図４は同じく箸本体の変形例を示す拡大断面図である。
【図５】図５は同じく箸本体に形成する取付穴を示す拡大断面図である。
【符号の説明】
【００５３】
１      箸本体
１Ａ    柄
２      接着剤
３      装飾体
４      取付穴
４ａ    内壁面
４ｂ    内底面
５      係止凹部
【図１】
0003107236.tif 000004
【図２】
0003107236.tif 000005
【図３】
0003107236.tif 000006
【図４】
0003107236.tif 000007
【図５】
0003107236.tif 000008